(57)【特許請求の範囲】
【請求項１】
原稿の画像を読み取る画像読取部と、
複数の操作キー画像を表示する表示部及び前記表示部の上面におけるユーザの押下位置を検出するタッチパネルから構成された入力操作部と、
画像形成処理に関するユーザの動作を検出する複数の操作検出手段と、
用紙に対する画像形成処理を実行する画像形成部と、
前記タッチパネルにおける故障の発生を検出する故障検出部と、
前記故障検出部が前記タッチパネルにおける故障の発生を検出した状態において前記表示部の表示状態を切り換えるための表示状態切換データを出力する表示状態切換手段と、
前記故障検出部が前記タッチパネルにおける故障の発生を検出していない状態において、前記タッチパネルの検出結果に基づいて前記画像形成処理に関する情報の入力を受ける通常入力モードで動作し、前記故障検出部が前記タッチパネルにおける故障の発生を検出した状態において、前記表示状態切換データに基づいて前記表示部の表示状態を切り換え、前記複数の操作検出手段のうち第１操作検出手段がユーザの動作を検出した時の前記表示部の表示状態に基づいて前記画像形成処理に関する情報の入力を受ける臨時入力モードで動作する制御部と、を備え、
前記制御部は、前記臨時入力モードにおいて、前記複数の操作検出手段のうち第２操作検出手段の検出結果を前記表示状態切換データとして認識して前記表示部の表示状態を切り換え、
前記第１操作検出手段及び前記第２操作検出手段のうち、一方は、前記タッチパネルとは別に設けられた１個のハードキーであり、他方は、前記画像読取部におけるユーザの原稿載置動作を検出する原稿検出センサである、画像形成装置。
【請求項２】
原稿の画像を読み取る画像読取部と、
複数の操作キー画像を表示する表示部及び前記表示部の上面におけるユーザの押下位置を検出するタッチパネルから構成された入力操作部と、
画像形成処理に関するユーザの動作を検出する複数の操作検出手段と、
用紙に対する画像形成処理を実行する画像形成部と、
前記タッチパネルにおける故障の発生を検出する故障検出部と、
前記故障検出部が前記タッチパネルにおける故障の発生を検出した状態において前記表示部の表示状態を切り換えるための表示状態切換データを出力する表示状態切換手段と、
前記故障検出部が前記タッチパネルにおける故障の発生を検出していない状態において、前記タッチパネルの検出結果に基づいて前記画像形成処理に関する情報の入力を受ける通常入力モードで動作し、前記故障検出部が前記タッチパネルにおける故障の発生を検出した状態において、前記表示状態切換データに基づいて前記表示部の表示状態を切り換え、前記複数の操作検出手段のうち第１操作検出手段がユーザの動作を検出した時の前記表示部の表示状態に基づいて前記画像形成処理に関する情報の入力を受ける臨時入力モードで動作する制御部と、を備え、
前記制御部は、前記臨時入力モードにおいて、前記複数の操作検出手段のうち第２操作検出手段が第１検出結果を出力した場合に前記第１操作検出手段がユーザの動作を検出したことによって出力する検出結果を前記表示状態切換データとして認識して前記表示部の表示状態を切り換え、前記第２操作検出手段が第２検出結果を出力した場合に前記第１操作検出手段がユーザの動作を検出した時の前記表示部の表示状態に基づいて前記画像形成処理に関する情報の入力を受け、
前記第１操作検出手段及び前記第２操作検出手段のうち、一方は、前記タッチパネルとは別に設けられた１個のハードキーであり、他方は、前記画像読取部におけるユーザの原稿載置動作を検出する原稿検出センサである、画像形成装置。
【請求項３】
複数の操作キー画像を表示する表示部及び前記表示部の上面におけるユーザの押下位置を検出するタッチパネルから構成された入力操作部であって、傾斜角度を変位自在なチルト式の入力操作部と、
画像形成処理に関するユーザの動作を検出する複数の操作検出手段と、
用紙に対する画像形成処理を実行する画像形成部と、
前記タッチパネルにおける故障の発生を検出する故障検出部と、
前記故障検出部が前記タッチパネルにおける故障の発生を検出した状態において前記表示部の表示状態を切り換えるための表示状態切換データを出力する表示状態切換手段と、
前記故障検出部が前記タッチパネルにおける故障の発生を検出していない状態において、前記タッチパネルの検出結果に基づいて前記画像形成処理に関する情報の入力を受ける通常入力モードで動作し、前記故障検出部が前記タッチパネルにおける故障の発生を検出した状態において、前記表示状態切換データに基づいて前記表示部の表示状態を切り換え、前記複数の操作検出手段のうち第１操作検出手段がユーザの動作を検出した時の前記表示部の表示状態に基づいて前記画像形成処理に関する情報の入力を受ける臨時入力モードで動作する制御部と、を備え、
前記制御部は、前記臨時入力モードにおいて、前記複数の操作検出手段のうち第２操作検出手段の検出結果を前記表示状態切換データとして認識して前記表示部の表示状態を切り換え、
前記第１操作検出手段及び前記第２操作検出手段のうち、一方は、前記タッチパネルとは別に設けられた１個のハードキーであり、他方は、前記入力操作部の傾斜角度を検出する傾斜角度検出センサである、画像形成装置。
【請求項４】
複数の操作キー画像を表示する表示部及び前記表示部の上面におけるユーザの押下位置を検出するタッチパネルから構成された入力操作部であって、傾斜角度を変位自在なチルト式の入力操作部と、
画像形成処理に関するユーザの動作を検出する複数の操作検出手段と、
用紙に対する画像形成処理を実行する画像形成部と、
前記タッチパネルにおける故障の発生を検出する故障検出部と、
前記故障検出部が前記タッチパネルにおける故障の発生を検出した状態において前記表示部の表示状態を切り換えるための表示状態切換データを出力する表示状態切換手段と、
前記故障検出部が前記タッチパネルにおける故障の発生を検出していない状態において、前記タッチパネルの検出結果に基づいて前記画像形成処理に関する情報の入力を受ける通常入力モードで動作し、前記故障検出部が前記タッチパネルにおける故障の発生を検出した状態において、前記表示状態切換データに基づいて前記表示部の表示状態を切り換え、前記複数の操作検出手段のうち第１操作検出手段がユーザの動作を検出した時の前記表示部の表示状態に基づいて前記画像形成処理に関する情報の入力を受ける臨時入力モードで動作する制御部と、を備え、
前記制御部は、前記臨時入力モードにおいて、前記複数の操作検出手段のうち第２操作検出手段が第１検出結果を出力した場合に前記第１操作検出手段がユーザの動作を検出したことによって出力する検出結果を前記表示状態切換データとして認識して前記表示部の表示状態を切り換え、前記第２操作検出手段が第２検出結果を出力した場合に前記第１操作検出手段がユーザの動作を検出した時の前記表示部の表示状態に基づいて前記画像形成処理に関する情報の入力を受け、
前記第１操作検出手段及び前記第２操作検出手段のうち、一方は、前記タッチパネルとは別に設けられた１個のハードキーであり、他方は、前記入力操作部の傾斜角度を検出する傾斜角度検出センサである、画像形成装置。
【請求項５】
前記故障検出部は、前記原稿検出センサが前記原稿載置動作を検出してから所定時間、前記タッチパネルによる前記表示部の上面におけるユーザの押下位置の検出がない時、前記タッチパネルにおいて故障が発生したと判定する、請求項１又は２に記載の画像形成装置。
【請求項６】
原稿の画像を読み取る画像読取部をさらに備え、
前記複数の操作検出手段のうち少なくとも１個は、前記画像読取部におけるユーザの原稿載置動作を検出する原稿検出センサであり、
前記故障検出部は、前記原稿検出センサが前記原稿載置動作を検出してから所定時間、前記タッチパネルによる前記表示部の上面におけるユーザの押下位置の検出がない時、前記タッチパネルにおいて故障が発生したと判定する、請求項３又は４に記載の画像形成装置。
【請求項７】
前記故障検出部は、前記タッチパネルによるユーザの押下位置の検出及び前記画像形成部による画像形成処理の実行がない状態で電源のＯＦＦとＯＮとが所定回数繰り返された時、前記タッチパネルにおいて故障が発生したと判定する、請求項１から６のいずれかに記載の画像形成装置。
【請求項８】
前記故障検出部は、電源の直前のＯＦＦ時に前記タッチパネルが検出した前記表示部の上面におけるユーザの押下位置と電源のＯＮ時に前記タッチパネルが検出した前記表示部の上面におけるユーザの押下位置とが一致した時、前記タッチパネルにおいて故障が発生したと判定する、請求項１から７のいずれかに記載の画像形成装置。
【請求項９】
前記制御部は、前記故障検出部が前記タッチパネルにおける故障の発生を検出した時、前記通常入力モードから前記臨時入力モードへ切り換えるか否かをユーザに確認する旨を前記表示部に表示される、請求項１から８のいずれかに記載の画像形成装置。
【発明の詳細な説明】
【技術分野】
【０００１】
この発明は、画像形成処理に関する情報の入力操作を受け付ける入力操作部が表示部及びタッチパネルから構成され、タッチパネルに故障が生じた場合に、タッチパネル以外の既設の部材を用いて画像形成処理に関する情報の入力操作を受け付けるようにした画像形成装置に関する。
【背景技術】
【０００２】
画像形成装置は、画像形成処理の開始が指示された際に、カラーモードの選択内容や画像形成条件の設定内容に基づいて画像形成処理を実行する。カラーモードの選択内容とは、例えば、フルカラー画像を形成するカラー画像形成モード又はモノクロ画像を形成するモノクロ画像形成モードの何れかの選択である。画像形成条件の設定内容とは、例えば、原稿サイズ、用紙サイズ、画像濃度、画像形成倍率及び画像形成部数等のそれぞれについての設定である。
【０００３】
このため、画像形成装置には、画像形成処理の開始の指示、並びにカラーモードの選択内容及び画像形成条件の設定内容の変更等の画像形成処理に関する情報の入力操作を受け付ける入力操作部が備えられている。入力操作部には、画像形成処理の開始の指示を受け付けるプリントキー（スタートボタン）、カラーモードを選択するためのキー、及び画像形成条件に関する数値情報を設定するためのテンキー等が配置されている。
【０００４】
近年、画像形成装置は、多機能化の要請に伴い、画像形成処理の開始前にユーザが入力すべき画像形成処理に関する情報が多岐にわたるため、入力操作部に操作パネルが用いられている。操作パネルは、複数の操作キーのアイコンを表示するＬＣＤ等のディスプレイ（表示部）と、ディスプレイの上面におけるユーザの押下位置を検出するタッチパネルと、で構成されている。ディスプレイにおけるアイコンの表示内容を切り換えることで、多数の操作キーの入力操作を単一の操作パネルで受け付けることができる。
【０００５】
特に、画像形成装置では、操作パネルの大型化が進展しており、ディスプレイを初期画面に戻すための１個のハードキー（ホームキー）を除いて、全てのキーをディスプレイに表示させるようにしたものが提案されている。このような操作パネルを備えた画像形成装置では、タッチパネルに故障が生じると、ユーザによる画像形成処理に関する情報の入力操作ができなくなり、画像形成部に故障が生じていない場合でも画像形成処理を実行させることができなくなる。
【０００６】
そこで、ネットワークを介して複数の画像形成装置を接続したシステムでは、複数の画像形成装置のうちの何れかに入力操作部の故障が生じた場合に、他の画像形成装置の入力操作部で代替させるようにした構成が提案されている（例えば、特許文献１参照。）。
【先行技術文献】
【特許文献】
【０００７】
【特許文献１】特開２００９−０７３０４５公報
【発明の概要】
【発明が解決しようとする課題】
【０００８】
しかし、特許文献１に記載された構成は、故障を生じた画像形成装置に対する画像形成処理に関する情報の入力操作をネットワーク内の他の画像形成装置を介して受け付けるものであり、単独で設置された画像形成装置に適用することができない。
【０００９】
この発明の目的は、タッチパネルに故障が生じた場合でも、別の画像形成装置を用いることなく画像形成処理に関する情報の入力操作を受け付けることができる画像形成装置を提供することにある。
【課題を解決するための手段】
【００１０】
この発明の画像形成装置は、入力操作部、複数の操作検出手段、画像形成部、故障検出部、表示状態切換手段、及び制御部を備える。入力操作部は、複数の操作キー画像を表示する表示部及び表示部の上面におけるユーザの押下位置を検出するタッチパネルから構成される。複数の操作検出手段のそれぞれは、画像形成処理に関するユーザの動作を検出する。画像形成部は、用紙に対する画像形成処理を実行する。故障検出部は、タッチパネルにおける故障の発生を検出する。表示状態切換手段は、故障検出部がタッチパネルにおける故障の発生を検出した状態において表示部の表示状態を切り換えるための表示状態切換データを出力する。制御部は、故障検出部がタッチパネルにおける故障の発生を検出していない状態においてタッチパネルの検出結果に基づいて画像形成処理に関する情報の入力を受ける通常入力モードで動作し、故障検出部がタッチパネルにおける故障の発生を検出した状態において、表示状態切換データに基づいて表示部の表示状態を切り換え、複数の操作検出手段のうち第１操作検出手段がユーザの動作を検出した時の表示部の表示状態に基づいて画像形成処理に関する情報の入力を受ける臨時入力モードで動作する。
【００１１】
この構成では、制御部は、故障検出部がタッチパネルにおける故障の発生を検出していない状態において通常入力モードで動作し、故障検出部がタッチパネルにおける故障の発生を検出すると臨時入力モードで動作する。したがって、通常入力モードにおいてはユーザがタッチパネルの操作によって入力していた画像形成処理に関する情報が、臨時入力モードに切り換えられると、タッチパネルを使用することなく、表示状態切換手段及び第１操作検出手段によって入力可能になる。具体的には、表示部に表示された複数の操作キーのうち所望の操作キーが、表示状態切換手段によって選択され、第１操作検出手段に検出されるようにユーザが画像形成処理に関する動作を行うことによって決定される。
【００１２】
ここで、画像形成処理に関する情報とは、例えば、コピアモード、プリンタモード又はファックスモードの何れかの選択に係るモード選択情報、カラー画像形成処理又はモノクロ画像形成処理の何れかの選択に係るカラー選択情報、用紙サイズの選択に係る用紙サイズ選択情報、画像形成枚数の設定に係る枚数選択情報等である。
【００１３】
上述の構成において、故障検出部は、タッチパネルによるユーザの押下位置の検出及び画像形成部による画像形成処理の実行がない状態で電源のＯＦＦとＯＮとが所定回数繰り返された時、タッチパネルにおいて故障が発生したと判定するように構成することができる。ユーザは、タッチパネルを操作しても所望の情報を入力できない場合、画像形成装置をリセットすればタッチパネルから入力できるようになるかもしれないと思って、画像形成装置の電源のＯＦＦとＯＮとを繰り返すことがある。このため、タッチパネルによるユーザの押下位置の検出及び画像形成部による画像形成処理の実行がない状態で電源のＯＦＦとＯＮとが所定回数繰り返された時は、タッチパネルにおいて故障が発生したと判定して通常入力モードから臨時入力モードへ切り換えることで、ユーザの自然な行動パターンに沿って円滑に、画像形成処理に関する情報の入力が可能になる。
【００１４】
また、原稿の画像を読み取る画像読取部をさらに備え、複数の操作検出手段のうち少なくとも１個は、画像読取部におけるユーザの原稿載置動作を検出する原稿検出センサであり、故障検出部は、原稿検出センサが原稿載置動作を検出してから所定時間、タッチパネルによる表示部の上面におけるユーザの押下位置の検出がない時、タッチパネルにおいて故障が発生したと判定するように構成することができる。ユーザによって原稿載置動作が行われた場合は、続けて画像形成処理に関する情報の入力操作も行われる。よって、原稿載置動作が行われたにも関わらず所定時間経過してもタッチパネルによる表示部の上面におけるユーザの押下位置の検出がない時は、タッチパネルにおいて故障が発生していると考えることができる。このため、このような時は、通常入力モードから臨時入力モードへ切り換えることで、画像形成処理に関する情報の入力が可能になる。
【００１５】
さらに、故障検出部は、電源の直前のＯＦＦ時にタッチパネルが検出した表示部の上面におけるユーザの押下位置と電源のＯＮ時にタッチパネルが検出した表示部の上面におけるユーザの押下位置とが一致した時、タッチパネルにおいて故障が発生したと判定するように構成することができる。タッチパネルの枠体とタッチパネルとの間に異物が挟まったり、タッチパネルに傷が付いたりすると、タッチパネルの特定の箇所が押下されたままの状態になり、電源の直前のＯＦＦ時と電源のＯＮ時とでタッチパネルが検出した表示部の上面におけるユーザの押下位置が一致する。このような場合は、タッチパネルにおいて故障が発生したとして通常入力モードから臨時入力モードへ切り換えることで、画像形成処理に関する情報の入力が可能になる。
【００１６】
また、制御部は、故障検出部がタッチパネルにおける故障の発生を検出した時、通常入力モードから臨時入力モードへ切り換えるか否かをユーザに確認する旨を表示部に表示させるように構成することができる。これによって、通常入力モードから臨時入力モードへ切り換えるか否かの最終判断をユーザが行うことができるので、より正確にユーザのニーズに沿った制御を行うことができる。
【００１７】
さらに、表示状態切換手段は、タイマを含み、制御部は、臨時入力モードにおいて、所定時間毎に複数の操作キー画像のそれぞれの表示状態を順に切り換えるように構成することができる。所定時間毎に複数の操作キーのそれぞれが順に選択された状態になるので、所望の操作キーが選択された時に第１操作検出手段に検出されるようにユーザが画像形成処理に関する動作を行うことで、画像形成処理に関する所望の情報が入力される。
【００１８】
また、表示状態切換手段は、タイマを含み、制御部は、臨時入力モードにおいて、所定時間毎に複数の操作キー画像のそれぞれを表示部の所定位置に順に表示するように構成することができる。表示部の所定位置に表示された操作キーが選択された操作キーであるとして、所望の操作キーが表示部の所定位置に表示された時に第１操作検出手段に検出されるようにユーザが画像形成処理に関する動作を行うことで、画像形成処理に関する所望の情報が入力される。
【００１９】
さらに、制御部は、臨時入力モードにおいて、複数の操作検出手段のうち第２操作検出手段の検出結果を表示状態切換データとして認識して表示部の表示状態を切り換えるように構成することができる。タッチパネルに故障が生じた状態において、画像形成処理に関するユーザの動作によって所望の操作キーが選択され、画像形成処理に関するユーザの別の動作によって決定され、これによって画像形成処理に関する所望の情報が入力される。
【００２０】
また、制御部は、臨時入力モードにおいて、複数の操作検出手段のうち第２操作検出手段が第１検出結果を出力した場合に第１操作検出手段がユーザの動作を検出したことによって出力する検出結果を表示状態切換データとして認識して表示部の表示状態を切り換え、第２操作検出手段が第２検出結果を出力した場合に第１操作検出手段がユーザの動作を検出した時の表示部の表示状態に基づいて画像形成処理に関する情報の入力を受けるように構成することができる。タッチパネルに故障が生じた状態において、第２操作検出手段が第１検出結果を出力するようにユーザが画像形成処理に関する動作を行った後に、第１操作検出手段に検出されるようにユーザが画像形成処理に関する動作を行うことで、表示部の表示状態が切り換えられる。一方、第２操作検出手段が第２検出結果を出力するようにユーザが画像形成処理に関する動作を行った後に、第１操作検出手段に検出されるようにユーザが画像形成処理に関する動作を行うことで、その時の表示部の表示状態に基づいて画像形成処理に関する情報が入力される。
【００２１】
さらに、原稿の画像を読み取る画像読取部を備える場合に、第１操作検出手段及び第２操作検出手段のうち、一方は、タッチパネルとは別に設けられた１個のハードキーであり、他方は、画像読取部におけるユーザの原稿載置動作を検出する原稿検出センサであるように構成することができる。ハードキー又は原稿検出センサの何れか一方が検出するようにユーザが動作を行うことで、表示部の表示状態が切り換えられ、他方が検出するようにユーザが動作を行うことで、その時の表示部の表示状態に基づいて画像形成処理に関する情報が入力される。
【００２２】
また、入力操作部は、傾斜角度を変位自在なチルト式であり、第１操作検出手段及び第２操作検出手段のうち、一方は、タッチパネルとは別に設けられた１個のハードキーであり、他方は、入力操作部の傾斜角度を検出する傾斜角度検出センサであるように構成することができる。ハードキー又は傾斜角度検出センサの何れか一方が検出するようにユーザが動作を行うことで、表示部の表示状態が切り換えられ、他方が検出するようにユーザが動作を行うことで、その時の表示部の表示状態に基づいて画像形成処理に関する情報が入力される。
【発明の効果】
【００２３】
この発明によれば、タッチパネルに故障が生じた場合でも、別の画像形成装置を用いることなく画像形成処理に関する情報の入力操作を受け付けることができるようになる。
【図面の簡単な説明】
【００２４】
【図１】この発明の実施形態に係る画像形成装置の外観斜視図である。
【図２】画像形成装置の概略の正面断面図である。
【図３】画像形成装置の操作ユニットの平面図である。
【図４】画像形成装置のブロック図である。
【図５】操作ユニットのタッチパネルにおける故障を検出する画像形成装置の制御部の処理手順の一例を示すフローチャートである。
【図６】図５に示す処理手順において臨時入力モードへの切り換えの確認表示を行う処理手順をさらに含む場合のフローチャートである。
【図７】臨時入力モードへの切り換えの確認表示画面の一例を示す図である。
【図８】臨時入力モードへの切り換えの確認表示画面の他の例を示す図である。
【図９】操作ユニットのタッチパネルにおける故障を検出する画像形成装置の制御部の処理手順の他の例を示すフローチャートである。
【図１０】操作ユニットのタッチパネルにおける故障を検出する画像形成装置の制御部の処理手順のさらに他の例を示すフローチャートである。
【図１１】（Ａ）は正常時のタッチパネルの断面図であり、（Ｂ）は故障時のタッチパネルの断面の一例を示す図であり、（Ｃ）は故障時のタッチパネルの断面の他の例を示す図である。
【図１２】臨時入力モードにおける入力操作の一例を示すフローチャートである。
【図１３】図１１に示す入力操作例における表示画面の変遷の一例を示す図である。
【図１４】図１１に示す入力操作例における表示画面の変遷の他の例を示す図である。
【図１５】臨時入力モードにおける入力操作の他の例を示すフローチャートである。
【図１６】臨時入力モードにおける入力操作のさらに他の例を示すフローチャートである。
【発明を実施するための形態】
【００２５】
以下に、この発明を実施するための形態について、図面に基づいて説明する。
【００２６】
図１及び図２に示すように、画像形成装置１は、画像読取部２、画像形成部３、給紙部４、制御部５、及び操作ユニット６を備えている。画像形成装置１は、コピアモード、プリンタモード又はファックスモードの何れかの動作モードで、用紙に対して電子写真方式のカラー画像形成処理又はモノクロ画像形成処理を実行する。操作ユニット６は、画像形成装置１の前面側に備えられている。制御部５は、画像形成装置１の全体を統括的に制御する。画像形成処理の対象である用紙には、普通紙の他、印画紙やＯＨＰフィルム等が含まれる。
【００２７】
画像読取部２は、スキャナユニット２０、及び自動原稿搬送装置（ＡＤＦ：AutomaticDocument Feeder）２００を有している。
【００２８】
スキャナユニット２０は、原稿台２１、光源ユニット２３、ミラーユニット２４、レンズ２５、及び固体撮像素子（ＣＣＤ:Charge Coupled Device）２６を備え、原稿の画像を読み取って画像データを生成する画像読取処理を行う。
【００２９】
ＡＤＦ２００は、原稿積載トレイ２０１から、原稿台２１の上面の所定位置を経由して図示しない原稿排出トレイへ至る原稿搬送路２０３を備え、原稿積載トレイ２０１上の原稿を原稿台２１の上面の所定位置へ１枚ずつ搬送する。ＡＤＦ２００は、背面側の端部を支点に回動自在にスキャナユニット２０に支持されており、原稿台２１の上面を開閉自在に被覆する原稿台カバーとしても機能することができる。前面側の端部が上方に移動するようにＡＤＦ２００を回動させて原稿台２１の上面を露出させることにより、ＡＤＦ２００を用いずに手動操作によって原稿台２１上に原稿を載置することができる。以下の説明では、ＡＤＦ２００を原稿台カバー２００と呼ぶこともある。原稿台２１は、硬質ガラス板によって構成されている。
【００３０】
光源ユニット２３及びミラーユニット２４は、原稿台２１の下方において、原稿台２１に沿って副走査方向に移動自在に構成されている。ミラーユニット２４の移動速度は、光源ユニット２３の移動速度の２分の１である。光源ユニット２３は、光源及び第１ミラーを搭載している。ミラーユニット２４は、第２ミラー及び第３ミラーを搭載している。
【００３１】
ＡＤＦ２００によって搬送される原稿の画像を読み取る搬送原稿読取方式では、光源ユニット２３は、原稿台２１の上記所定位置の下方に停止している。光源の光は、原稿台２１の上記所定位置の上を通過する原稿の画像面に照射され、原稿の画像面による反射光が第１ミラーによってミラーユニット２４へ導かれる。
【００３２】
原稿台２１に載置された原稿の画像を読み取る停止原稿読取方式では、光源ユニット２３及びミラーユニット２４は、原稿台２１の下方を副走査方向に移動する。光源の光は、原稿台２１上に載置された原稿の画像面に照射され、原稿の画像面による反射光が第１ミラーによってミラーユニット２４へ導かれる。
【００３３】
ＡＤＦ２００を用いるか否かに拘らず、原稿の画像面による反射光は、光路長を一定にして、第２ミラー及び第３ミラーに導かれ、レンズ２５を経由してＣＣＤ２６に入射する。
【００３４】
ＣＣＤ２６は、原稿の画像面による反射光の光量に応じた電気信号を出力する。この電気信号は、制御部５に画像データとして入力される。このようにして、画像読取部２は、原稿の画像を読み取って画像データを生成する。制御部５は、必要に応じて画像データを画像形成部３へ出力する。
【００３５】
画像形成部３は、画像読取部２の下に配置され、電子写真プロセス部３０、及び定着部６０を備えている。
【００３６】
電子写真プロセス部３０は、感光体ドラム３１、帯電装置３２、露光ユニット３３、現像装置３４、転写装置３５、クリーニングユニット３６を備えている。帯電装置３２は、感光体ドラム３１の周面を所定の電位に均一に帯電させる。露光ユニット３３は、帯電した感光体ドラム３１の周面を画像データに応じて露光することによって、感光体ドラム３１の周面に画像データに応じた静電潜像を形成する。現像装置３４は、感光体ドラム３１の周面に形成された静電潜像を、トナー等の現像剤で顕像化し、現像剤像を形成する。転写装置３５は、感光体ドラム３１の周面に形成された現像剤像を、転写装置３５と感光体ドラム３１の周面との間に搬送されてきた用紙に転写する。クリーニングユニット３６は、現像剤像が用紙に転写された後の感光体ドラム３１の周面に残留した現像剤を除去及び回収する。
【００３７】
定着部６０は、加熱ローラ及び加圧ローラを有し、未定着の現像剤像を担持した用紙が加熱ローラと加圧ローラとの間を通過する際に、搬送しながら加熱及び加圧することで、現像剤像を用紙に定着させる。
【００３８】
画像形成部３の上部に、用紙排紙部である排紙トレイ７２が構成されている。排紙トレイ７２は、現像剤像が定着した処理済みの用紙を収容する。
【００３９】
給紙部４は、画像形成部３の下に配置され、未処理の用紙を収容する用紙収容部である複数の用紙カセット４１〜４４及び手差しトレイ４５を備えている。
【００４０】
給紙部４及び画像形成部３には、第１用紙搬送路７３、及び第２用紙搬送路７４が設けられている。
【００４１】
第１用紙搬送路７３は、給紙部４から電子写真プロセス部３０及び定着部６０を経由するように垂直方向に延び、定着部６０の上方で水平方向に湾曲して、用紙を排紙トレイ７２又は排紙処理装置７５へ排出するように形成されている。第２用紙搬送路７４は、両面印刷用の用紙搬送路であって、第１用紙搬送路７３のうちの定着部６０より下流側において分岐して、転写装置３５の上流側において第１用紙搬送路７３へ合流している。
【００４２】
定着部６０による加熱定着後の用紙は、第１用紙搬送路７３を上方へ搬送された後、分岐爪７９によって、排紙トレイ７２若しくは排紙処理装置７５へ向かう方向、又は第２用紙搬送路７４側へ、導かれる。
【００４３】
排紙処理装置７５は、複数の排紙トレイ７６，７７，７８を有している。排紙処理装置７５は、複数の用紙を、複数の排紙トレイ７６〜７８のそれぞれへ仕分けて排出する。
【００４４】
図３に示すように、制御部５は、ＲＯＭ５２及びＲＡＭ５３を備えたＣＰＵ５１、並びにＣＰＵ５１に接続された、画像読取部用ドライバ５４、画像形成部用ドライバ５５、給紙部用ドライバ５６、操作ユニット用コントローラ５７、及び故障検出部５８を含む。
【００４５】
ＲＯＭ５２は、ＣＰＵ５１の動作を規定するプログラム等を記憶している。ＲＡＭ５３は、ＣＰＵ５１に入出力されるデータを一時記憶する。ＲＡＭ５３の複数のメモリエリアは、それぞれ画像濃度、用紙サイズ、画像形成枚数及び原稿サイズの設定内容を記憶する。
【００４６】
画像読取部用ドライバ５４は、画像読取部２に含まれる図示しないモータ等の駆動機器の動作を制御する。画像形成部用ドライバ５５は、画像形成部３に含まれる図示しないモータ等の駆動機器の動作を制御する。給紙部用ドライバ５６は、給紙部４に含まれる図示しないモータ等の駆動機器の動作を制御する。
【００４７】
操作ユニット用コントローラ５７には、操作ユニット６が接続されている。図４に示すように、操作ユニット６は、入力操作部６３、１個のホームキー６４、電源キー６５、及び表示灯６６を備えている。なお、電源キー６５及び表示灯６６は、操作ユニット６に備えられることに限定されない。
【００４８】
入力操作部６３は、ＬＣＤやＥＬ等のディスプレイ（表示部）６１、及びディスプレイ６１の上面に重ねて配置されたタッチパネル６２から構成されている。操作ユニット用コントローラ５７は、ＣＰＵ５１から入力された表示データに基づいてディスプレイ６１に操作キーのアイコン（画像）及びメッセージ等の情報を表示する。一例として、ディスプレイ６１に表示される操作キーには、画像形成処理の開始の指示入力を受け付けるスタートキー、カラーモード選択に係る複数の操作キー、用紙サイズ選択に係る複数の操作キー、画像形成枚数選択に係るテンキーが含まれる。
【００４９】
操作ユニット用コントローラ５７は、ディスプレイ６１に表示すべき表示データをＲＯＭ５２に階層的に格納しておき、複数の操作キーをディスプレイ６１に階層的に表示することができる。
【００５０】
タッチパネル６２は、ディスプレイ６１の上面におけるユーザの押下位置を検出する。操作ユニット用コントローラ５７は、ユーザの入力操作によるタッチパネル６２の押下位置を示す操作データをＣＰＵ５１へ出力する。
【００５１】
ホームキー６４は、タッチパネル６２とは別に設けられたハードキーである。ホームキー６４は、入力操作部６３に隣接配置されている。タッチパネル６２において故障が発生していない通常入力モードにおいて、ホームキー６４が操作されると、ディスプレイ６１の表示画面が所定の初期画面に戻される。一例として、初期画面は、動作モードを選択するための複数の操作キーを表示する画面である。
【００５２】
表示灯６６は、画像形成装置１の電源のＯＮ／ＯＦＦ状態を表す。
【００５３】
故障検出部５８は、タッチパネル６２における故障の発生を検出する。故障検出部５８は、タッチパネル６２において故障が発生していると判定した場合に、故障発生データをＣＰＵ５１へ出力する。ＣＰＵ５１は、故障発生データが入力すると、入力モードを通常入力モードから臨時入力モードへ切り換える。タッチパネル６２に故障が生じているか否かの判定方法については後述する。
【００５４】
制御部５のＣＰＵ５１には、他に、カバー開閉検出センサ８１、原稿トレイセンサ８２、及びパネル開閉検出センサ８４のそれぞれから検出結果データが入力し、タイマ８３から計時情報が入力する。
【００５５】
カバー開閉検出センサ８１は、原稿台カバー２００の開閉状態を検出する。原稿トレイセンサ８２は、原稿積載トレイ２０１に原稿が載置されているか否かを検出する。パネル開閉検出センサ８４は、画像形成部３のメンテナンスを行うための前面パネル３７の開閉状態を検出する。
【００５６】
ＣＰＵ５１は、操作ユニット用コントローラ５７から入力された操作データと操作ユニット用コントローラ５７へ出力している表示データとに基づいて、ユーザによる画像形成処理に関する情報の設定内容を特定する。具体的には、タッチパネル６２におけるユーザの操作データは、ディスプレイ６１の表示画面内の座標データとしてＣＰＵ５１に入力され、ＣＰＵ５１は、入力された座標データに対応するデータをＲＯＭ５２から読み出して、画像形成処理に関する情報を特定する。
【００５７】
ここで、画像形成処理に関する情報とは、例えば、コピアモード、プリンタモード又はファックスモードの何れかの選択に係る動作モード選択情報、カラー画像形成処理又はモノクロ画像形成処理の何れかの選択に係るカラー選択情報、用紙サイズの選択に係る用紙サイズ選択情報、画像形成枚数の設定に係る枚数選択情報等である。画像形成処理に関する情報には、画像形成処理の開始の指示情報が含まれる。
【００５８】
ＣＰＵ５１は、ＲＯＭ５２に格納されているプログラムに従って、特定した画像形成処理に関する情報の設定内容に応じた駆動データをドライバ５４〜５６へ出力する。ドライバ５４〜５６は、ＣＰＵ５１から入力された駆動データに基づいて各駆動機器を駆動する。即ち、原稿に対する画像読取処理を実行する画像読取部２、用紙に対する画像形成処理を実行する画像形成部３、及び用紙搬送処理を実行する給紙部４は、画像処理部に含まれ、ＣＰＵ５１は、特定した画像形成処理に関する情報の設定内容に基づいて画像処理部を制御する。
【００５９】
上述のように、タッチパネル６２において故障が発生していない通常入力モードにおいては、画像形成処理に関する情報は、タッチパネル６２において受け付けられる。
【００６０】
次に、タッチパネル６２において故障が発生した場合に画像形成処理に関する情報の入力を可能とする臨時入力モードについて説明する。まず、タッチパネル６２に故障が生じているか否かの判定手順について説明する。
【００６１】
画像形成装置１は、電源キー６５において電源がＯＦＦされている間は、電源キー６５における電源ＯＮの操作を受け付け可能な電力を操作ユニット６へ供給する一方、画像形成部３への電力の供給を停止している。また、画像形成装置１は、電源がＯＮされている間であって通常時は、ユーザによるタッチパネルからの入力操作に基づいて画像形成処理に関する情報の入力を受ける通常入力モードで動作する。
【００６２】
図５に示すように、制御部５は、電源キー６５においてユーザによる電源ＯＮの操作が行われると（Ｓ１）、画像形成部３、画像読取部２、及び給紙部４へ電力を供給し（Ｓ２）、故障カウンタＣ１が２以下であるか否かを判定する（Ｓ３）。
【００６３】
制御部５は、故障カウンタＣ１が２以下である場合は通常入力モードのままで動作する。次に、制御部５は、電源キー６５においてユーザによる電源ＯＦＦの操作が行われたか否かを判定する（Ｓ４）。制御部５は、ユーザによる電源ＯＮの操作が行われてから電源ＯＦＦの操作が行われるまでの間に、タッチパネル６２においてユーザによる入力操作が行われた場合は（Ｓ５）、動作カウンタＣ２及び故障カウンタＣ１をともにリセットし（Ｓ６、Ｓ７）、Ｓ５のタッチパネル６２における入力操作が画像形成処理の開始の指示操作でない場合は（Ｓ８）、Ｓ４へ戻って、電源キー６５における電源ＯＦＦの操作又はタッチパネル６２における更なる画像形成処理に関する情報の入力操作を受け付ける。
【００６４】
制御部５は、タッチパネル６２において画像形成処理の開始の指示操作が行われた場合は、画像形成部３に画像形成処理を実行させて（Ｓ９）、Ｓ４へ戻る。
【００６５】
制御部５は、ユーザによる電源ＯＮの操作が行われてから電源ＯＦＦの操作が行われるまでの間に（Ｓ４においてＮＯ）、タッチパネル６２におけるユーザによる入力操作が行われずに（Ｓ５においてＮＯ）画像形成処理が実行された場合（例えば、プリンタモードが実行された場合）は（Ｓ１０）、動作カウンタＣ２をリセットして（Ｓ１１）、Ｓ４へ戻る。
【００６６】
制御部５は、ユーザによる電源ＯＮの操作が行われてから電源ＯＦＦの操作が行われるまでの間に、タッチパネル６２におけるユーザによる入力操作及び画像形成処理の実行がともになかった場合、動作カウンタＣ２に１を加算して（Ｓ１２）、Ｓ４へ戻る。
【００６７】
制御部５は、電源キー６５においてユーザによる電源ＯＦＦの操作が行われると（Ｓ４においてＹＥＳ）、動作カウンタＣ２が０であるか否かを判定し（Ｓ１３）、Ｃ２＝０である場合は、故障カウンタＣ１を変更することなく、画像形成部３等への電力の供給を停止して（Ｓ１４）、電源キー６５におけるユーザによる電源ＯＮの操作を待機する（Ｓ１）。
【００６８】
制御部５は、電源ＯＦＦの操作が行われた時に動作カウンタＣ２が０でない場合は、故障カウンタＣ１に１を加算した上で（Ｓ１５）、画像形成部３等への電力の供給を停止する（Ｓ１４）。
【００６９】
制御部５は、上述のように、タッチパネル６２におけるユーザによる入力操作及び画像形成処理の実行がともにない状態で、ユーザによる電源ＯＦＦの操作と電源ＯＮの操作とが所定回数繰り返され、故障カウンタＣ１が２を超えた場合、タッチパネル６２において故障が発生していると判断して、入力モードを通常入力モードから臨時入力モードへ切り換える（Ｓ１６）。
【００７０】
ユーザは、タッチパネル６２を操作しても所望の情報を入力できない場合、画像形成装置１をリセットすればタッチパネル６２から入力できるようになるかもしれないという考えから、電源ＯＦＦの操作と電源ＯＮの操作とを繰り返すことがある。このため、タッチパネル６２におけるユーザによる入力操作及び画像形成処理の実行がともにない状態でユーザによる電源ＯＦＦの操作と電源ＯＮの操作とが所定回数繰り返された時は、タッチパネル６２において故障が発生したと判断して通常入力モードから臨時入力モードへ切り換えることで、ユーザの自然な行動パターンに沿って円滑に、画像形成処理に関する情報の入力が可能になる。したがって、画像形成装置１によれば、タッチパネル６２に故障が生じた場合でも、別の画像形成装置を用いることなく画像形成処理に関する情報の入力操作を受け付けることができるようになる。
【００７１】
なお、図６に示すように、通常入力モードから臨時入力モードへ切り換えようとする際に、通常入力モードから臨時入力モードへ切り換えるか否かをユーザに確認する旨をディスプレイ６１に表示するように構成することができる。即ち、制御部５は、故障カウンタＣ１が２を超えた場合、切り換え確認表示を行う（Ｓ１７）。切り換え確認表示は、例えば図７に示すように、通常入力モードから臨時入力モードへの切り換えを望まない場合はタッチパネル６２に表示された「切り換えない」キー６７を操作するように促す旨の表示である。
【００７２】
制御部５は、所定時間以内にタッチパネル６２において「切り換えない」キー６７が操作された場合は（Ｓ１８、Ｓ１９）、動作カウンタＣ２及び故障カウンタＣ１をともにリセットして（Ｓ２０、Ｓ２１）、電源キー６５における電源ＯＦＦの操作又はタッチパネル６２における画像形成処理に関する情報の入力操作を受け付ける。
【００７３】
制御部５は、所定時間以内にタッチパネル６２において「切り換えない」キー６７が操作されなかった場合は、通常入力モードから臨時入力モードへ切り換える（Ｓ１６）。
【００７４】
なお、図８に示すように、切り換え確認表示は、通常入力モードから臨時入力モードへの切り換えを望む場合はホームキー６４を長押しすることを促す旨の表示であってもよい。制御部５は、切り換え確認表示をディスプレイ６１に表示された後に、ホームキー６４が所定時間を超えて継続的に長押しされた場合に、通常入力モードから臨時入力モードへ切り換える（Ｓ１６）。
【００７５】
次に、タッチパネル６２に故障が生じているか否かの判定手順についての他の実施形態について説明する。
【００７６】
図９に示すように、制御部５は、原稿台カバー（ＡＤＦ）２００が開状態から閉状態へ操作された旨のカバー開閉検出センサ８１からの検出結果データの入力（Ｓ３１）、又は原稿積載トレイ２０１に用紙が載置された旨の原稿トレイセンサ８２からの検出結果データの入力（Ｓ３２）があると、ユーザの原稿載置動作があったと判断し、タイマ８３による計時を開始する（Ｓ３３）。カバー開閉検出センサ８１及び原稿トレイセンサ８２のそれぞれは、画像読取部２におけるユーザの原稿載置動作を検出する原稿検出センサを構成している。
【００７７】
制御部５は、所定時間以内にタッチパネル６２において画像形成処理に関する情報のユーザによる入力操作が行われた場合は（Ｓ３４、Ｓ３５）、入力された情報に基づいて動作し、画像形成処理の開始の指示操作であった場合は（Ｓ３６）、画像形成部３に画像形成処理を実行させる（Ｓ３７）。
【００７８】
制御部５は、ユーザの原稿載置動作を検出した旨の検出結果データの入力があってから所定時間経過しても、タッチパネル６２においてユーザによる入力操作が行われない場合に、通常入力モードから臨時入力モードへ切り換える（Ｓ３８）。
【００７９】
ユーザによって原稿載置動作が行われた場合は、続けて画像形成処理に関する情報の入力操作も行われる。よって、原稿載置動作が行われたにも関わらず所定時間経過してもタッチパネル６２においてユーザによる入力操作が行われない時は、タッチパネル６２において故障が発生していると考えることができる。このため、このような時は、通常入力モードから臨時入力モードへ切り換えることで、画像形成処理に関する情報の入力が可能になる。
【００８０】
次に、タッチパネル６２に故障が生じているか否かの判定手順についてのさらに他の実施形態について説明する。
【００８１】
図１０に示すように、制御部５は、電源キー６５においてユーザによる電源ＯＮの操作が行われると（Ｓ４１）、画像形成部３等へ電力を供給する（Ｓ４２）。
【００８２】
制御部５は、後述するように、電源キー６５において電源ＯＦＦの操作が行われると、その時のタッチパネル６２における操作データをディスプレイ６１の表示画面内の座標データとしてＲＡＭ５３に記憶する。
【００８３】
制御部５は、タッチパネル６２においてユーザによる入力操作が行われると（Ｓ４３）、直前の電源ＯＦＦの操作時に記憶された座標データと、今回の電源ＯＮの操作時にタッチパネル６２が操作されたことによる座標データとが、一致するか否かを判定する（Ｓ４４）。
【００８４】
図１１（Ａ）に示すように、タッチパネル６２が故障していない場合は、上記座標データが一致することはほとんどない。制御部５は、座標データが一致しない場合、Ｓ４３において入力された操作データが画像形成処理の開始の指示操作でない場合は（Ｓ４５）、タッチパネル６２における入力操作をさらに受け付け（Ｓ４６）、画像形成処理の開始の指示操作であった場合は、画像形成部３に画像形成処理を実行させる（Ｓ４７）。
【００８５】
制御部５は、上述のように、電源キー６５においてユーザによる電源ＯＦＦの操作が行われると（Ｓ４８）、その時のタッチパネル６２における操作データをディスプレイ６１の表示画面内の座標データとしてＲＡＭ５３に記憶し（Ｓ４９）、画像形成部３等への電力の供給を停止する（Ｓ５０）。
【００８６】
図１１（Ｂ）に示すように、タッチパネル６２の枠体６２１とタッチパネル６２との間にゴミ等の異物６２２が挟まった場合や、図１１（Ｃ）に示すように、タッチパネル６２に傷６２３が付いた場合は、タッチパネル６２の特定の箇所が押下されたままの状態になり、直前の電源ＯＦＦの操作時に記憶された座標データと、今回の電源ＯＮの操作時にタッチパネル６２が操作されたことによる座標データとが、一致する。
【００８７】
制御部５は、Ｓ４４において座標データが一致した場合は、タッチパネル６２において故障が発生したとして、通常入力モードから臨時入力モードへ切り換える（Ｓ５１）。これによって、タッチパネル６２において故障が発生している場合でも、画像形成処理に関する情報の入力が可能になる。
【００８８】
次に、臨時入力モードにおける入力操作について説明する。
【００８９】
図１２に示すように、通常入力モードにおいては（Ｓ６１）、ディスプレイ６１に表示された複数の操作キーのアイコンのうち所望の操作キーのアイコンが表示されたタッチパネル６２の箇所をユーザがタッチすることで（Ｓ６２）、所望の画像形成処理に関する情報が選択及び決定され、入力される（Ｓ６３）。即ち、制御部５は、通常入力モードにおいて、タッチパネル６２におけるユーザによる入力操作に基づいて、画像形成処理に関する情報をＲＡＭ５３に記憶する。制御部５は、ＲＡＭ５３に記憶された情報に基づいて画像形成部３等を制御する。制御部５は、画像形成処理の開始の指示情報が入力された場合は（Ｓ６４）、画像形成部３に画像形成処理を実行させる（Ｓ６５）。
【００９０】
臨時入力モードにおいては（Ｓ６１）、制御部５は、図１３（Ａ）〜図１３（Ｃ）に示すように、ディスプレイ６１に表示された複数の操作キーのアイコンの表示状態を、タイマ８３が所定時間毎に出力する表示状態切換データに基づいて所定時間毎に順に切り換える（Ｓ６６〜Ｓ６８）。例えば、制御部５は、複数の操作キーのアイコンを所定時間毎に１個ずつ順にハイライト表示する。
【００９１】
ディスプレイ６１に表示された複数の操作キーのアイコンのうち所望の操作キーのアイコンがハイライト表示された時に、ユーザがホームキー６４を押下すると、ホームキー６４が押下された時にハイライト表示されていた操作キーのアイコンに対応する画像形成処理に関する情報が制御部５に入力される（Ｓ６９）。即ち、この実施形態では、複数の操作キーが所定時間毎に順に選択され、ユーザによるホームキー６４の押下によって所望の操作キーに対応する情報が決定される。
【００９２】
制御部５は、図１３（Ａ）〜図１３（Ｃ）に示すように、カラーモード選択、用紙サイズ選択、及び画像形成枚数選択のそれぞれの選択表示画面を、それぞれの選択情報が入力される毎に切り換える階層的表示を行う。それぞれの選択表示画面には、複数の操作キーのアイコンが表示される。
【００９３】
制御部５は、画像形成処理の開始の指示情報が入力された場合は（Ｓ７０）、画像形成部３に画像形成処理を実行させる（Ｓ７１）。
【００９４】
上述のように、所定時間毎に複数の操作キーのそれぞれが順に選択された状態になるので、所望の操作キーが選択された時にユーザがホームキーを押下することで、画像形成処理に関する所望の情報が入力される。したがって、画像形成装置１によれば、タッチパネル６２に故障が生じた場合でも、別の画像形成装置を用いることなく画像形成処理に関する情報の入力操作を受け付けることができるようになる。
【００９５】
この実施形態では、タイマ８３が表示状態切換手段を構成し、ホームキー６４が第１操作検出手段を構成している。
【００９６】
なお、図１４（Ａ）〜図１４（Ｃ）に示すように、制御部５は、臨時入力モードにおいて、所定時間毎に複数の操作キーのアイコンのそれぞれをディスプレイ６１の所定位置に順に表示するように構成することができる。ディスプレイ６１の所定位置に表示された操作キーが選択された操作キーであるとして、所望の操作キーのアイコンがディスプレイ６１の所定位置に表示された時にユーザがホームキーを押下することで、画像形成処理に関する所望の情報が入力される。
【００９７】
また、Ｓ６７の処理において、ホームキー６４の押下に代えて、原稿台カバー２００の開状態から閉状態への変更若しくは閉状態から開状態への変更、又は、原稿積載トレイ２０１への用紙の載置若しくは原稿積載トレイ２０１からの用紙の取り除き、又は、前面パネル３７の開状態から閉状態への変更若しくは閉状態から開状態への変更とすることができる。即ち、第１操作検出手段を、カバー開閉検出センサ８１、又は、原稿トレイセンサ８２、又は、パネル開閉検出センサ８４で構成することもでき、タッチパネル６２において故障が発生した場合でも、画像形成処理に関するユーザの動作を検出する既存の部材を用いて画像形成処理に関する情報を入力することができる。
【００９８】
次に、臨時入力モードにおける入力操作の他の実施形態について説明する。
【００９９】
図１５に示すように、通常入力モード（Ｓ８１）における入力操作（Ｓ８２〜Ｓ８５）については、図１２に示す上述のＳ６２〜Ｓ６５と同様である。即ち、通常入力モードにおいては（Ｓ８１）、タッチパネル６２に表示された複数の操作キーのアイコンのうち所望の操作キーのアイコンをユーザがタッチすることで（Ｓ８２）、所望の画像形成処理に関する情報が選択及び決定され、制御部５に入力される（Ｓ８３）。制御部５は、画像形成処理の開始の指示情報が入力された場合は（Ｓ８４）、画像形成部３に画像形成処理を実行させる（Ｓ８５）。
【０１００】
臨時入力モードにおいては（Ｓ８１）、制御部５は、原稿台カバー２００が開状態である旨の検出結果データをカバー開閉検出センサ８１が出力した状態において（Ｓ８６）、ユーザによってホームキー６４が押下される毎に（Ｓ８７）、ディスプレイ６１に表示された複数の操作キーのアイコンの表示状態を切り換える（Ｓ８８）。一例として、複数の操作キーのアイコンは、ホームキー６４が押下される毎に、１個ずつ順にハイライト表示される。この実施形態では、ホームキー６４が第１操作検出手段を構成し、カバー開閉検出センサ８１が第２操作検出手段を構成している。
【０１０１】
また、原稿台カバー２００が閉状態である旨の検出結果データをカバー開閉検出センサ８１が制御部５へ出力した状態において（Ｓ８６）、ユーザによってホームキー６４が押下されると（Ｓ８９）、ディスプレイ６１に表示された複数の操作キーのアイコンの表示状態に基づいて、画像形成処理に関する情報が制御部５に入力される（Ｓ９０）。一例として、ユーザによってホームキー６４が押下された時にハイライト表示されていた操作キーのアイコンに対応する画像形成処理に関する情報が制御部５に入力される。
【０１０２】
制御部５は、画像形成処理の開始の指示情報が入力された場合は（Ｓ９１）、画像形成部３に画像形成処理を実行させる（Ｓ９２）。
【０１０３】
このように、ユーザは、原稿台カバー２００を開状態にしてホームキー６４の押下を繰り返すことで、所望の操作キーを選択することができ、所望の操作キーを選択した時に、原稿台カバー２００を閉状態にしてホームキー６４を押下することで、所望の画像形成処理に関する情報を制御部５に入力することができる。したがって、この実施形態に係る画像形成装置１においても、タッチパネル６２に故障が生じた場合でも、別の画像形成装置を用いることなく画像形成処理に関する情報の入力操作を受け付けることができるようになる。
【０１０４】
また、原稿台カバー２００の開閉状態によってホームキー６４の機能（選択機能、又は決定機能）が変更されるので、１個のホームキー６４に、複数の機能から所望の機能を選択して割り当てることが可能になる。
【０１０５】
なお、原稿台カバー２００を閉状態にしてホームキー６４の押下を繰り返すことで、操作キーを選択し、所望の操作キーを選択した時に、原稿台カバー２００を開状態にしてホームキー６４を押下することで、所望の画像形成処理に関する情報を制御部５に入力するように構成することもできる。また、ホームキー６４を押下した状態で原稿台カバー２００の開閉状態を変更することで操作キーを選択し、所望の操作キーを選択した時に、ホームキー６４の押下を中止して原稿台カバー２００の開閉状態を変更することで、所望の画像形成処理に関する情報を制御部５に入力するように構成することもできる。
【０１０６】
また、Ｓ８６において第２操作検出手段として機能するカバー開閉検出センサ８１、及びＳ８７，Ｓ８９において第１操作検出手段として機能するホームキー６４に代えて、第１操作検出手段及び第２操作検出手段を、ホームキー６４、カバー開閉検出センサ８１、原稿トレイセンサ８２、パネル開閉検出センサ８４のうち、何れか２個の組み合わせによって構成することもできる。
【０１０７】
次に、臨時入力モードにおける入力操作のさらに他の実施形態について説明する。
【０１０８】
図１６に示すように、通常入力モード（Ｓ１０１）における入力操作（Ｓ１０２〜Ｓ１０５）については、図１２に示す上述のＳ６２〜Ｓ６５と同様である。
【０１０９】
臨時入力モードにおいては（Ｓ１０１）、制御部５は、ホームキー６４が押下される毎に（Ｓ１０６）、ディスプレイ６１の表示状態を切り換える（Ｓ１０７）。一例として、複数の操作キーのアイコンは、ホームキー６４が押下される毎に、１個ずつ順にハイライト表示される。
【０１１０】
原稿台カバー２００が開状態から閉状態に変更された旨の検出結果データがカバー開閉検出センサ８１から制御部５に入力すると（Ｓ１０８）、ディスプレイ６１に表示された複数の操作キーのアイコンの表示状態に基づいて、画像形成処理に関する情報が制御部５に入力される（Ｓ１０９）。一例として、ユーザによって原稿台カバー２００が開状態から閉状態に変更された時にハイライト表示されていた操作キーのアイコンに対応する画像形成処理に関する情報が制御部５に入力される。
【０１１１】
制御部５は、画像形成処理の開始の指示情報が入力された場合は（Ｓ１１０）、画像形成部３に画像形成処理を実行させる（Ｓ１１１）。
【０１１２】
この実施形態では、ホームキーが第１操作検出手段を構成し、カバー開閉検出センサ８１が第２操作検出手段を構成している。
【０１１３】
このように、タッチパネル６２に故障が生じた場合でも、画像形成処理に関するユーザの動作によって所望の操作キーが選択され、画像形成処理に関するユーザの別の動作によって操作キーが決定され、これによって画像形成処理に関する所望の情報が入力される。
【０１１４】
なお、ディスプレイ６１の表示状態を切り換える表示状態切換データとして検出結果データが認識される第２操作検出手段と、検出結果データを出力した時のディスプレイ６１の表示状態に基づいて情報が制御部５へ入力される第１操作検出手段とは、ホームキー６４、カバー開閉検出センサ８１、原稿トレイセンサ８２、パネル開閉検出センサ８４のうち、何れか２個の組み合わせによって構成することができる。
【０１１５】
また、操作ユニット６は、傾斜角度を変位自在なチルト式に構成することができ、画像形成装置１は、操作ユニット６の傾斜角度を検出する傾斜角度検出センサ８５を備えることができる。一例として、傾斜角度検出センサ８５は、操作ユニット６の傾斜角度が所定の閾値より小さい第１状態と、傾斜角度が上記閾値以上である第２状態とについてそれぞれ検出結果データを制御部５へ出力する。傾斜角度検出センサ８５は、図１２、図１５、図１６に示す上述のそれぞれの実施形態において、第１操作検出手段又は第２操作検出手段の何れかを構成することができる。
【０１１６】
さらに、臨時入力モードにおける入力操作手段は、操作キーの選択手段と決定手段との２個に限定されるものではなく、３個以上にすることもできる。例えば、第２操作検出手段（例えば、原稿台カバー２００）が第２１検出結果データ（例えば、開状態）を出力した状態において、第３操作検出手段（例えば、傾斜角度検出センサ８５）が第３１検出結果データ（例えば、操作パネル６の傾斜角度が小さい）を出力した状態で第１操作検出手段（例えば、ホームキー６４）が第１１検出結果データ（例えば、押下）を出力する毎に、操作キーのアイコンが１個ずつ順送りでハイライト表示され、第３操作検出手段（例えば、傾斜角度検出センサ８５）が第３２検出結果データ（例えば、操作パネル６の傾斜角度が大きい）を出力した状態で第１操作検出手段（例えば、ホームキー６４）が第１１検出結果データ（例えば、押下）を出力する毎に、操作キーのアイコンが１個ずつ逆送りでハイライト表示され、第２操作検出手段（例えば、原稿台カバー２００）が第２２検出結果データ（例えば、閉状態）を出力した状態において第１操作検出手段（例えば、ホームキー６４）が第１１検出結果データ（例えば、押下）を出力した時にハイライト表示されていた操作キーのアイコンに対応する画像形成処理に関する情報が制御部５に入力されるように構成することができる。
【０１１７】
また、第３操作検出手段、第２操作検出手段、及び第１操作検出手段はそれぞれ、ディスプレイ６１の表示状態の切り換え方法（例えば、順送り又は逆送り）の選択、情報の選択、情報の決定の何れかの機能を果たすように構成することができる。ディスプレイ６１の表示状態の切り換え方法は、例えば、複数の操作キーのアイコンのハイライト表示を順送りで行うか逆送りで行うかといった送り方向であり、又は、複数の操作キーのハイライト表示の切り換え速度とすることもできる。
【０１１８】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【０１１９】
１  画像形成装置
２  画像読取部
３  画像形成部
４  給紙部
５  制御部
５８  故障検出部
６  操作パネル
６１  ディスプレイ（表示部）
６２  タッチパネル
６３  入力操作部
６４  ホームキー（操作検出手段）
６５  電源キー
８１  カバー開閉検出センサ（操作検出手段）
８２  原稿トレイセンサ（操作検出手段）
８３  タイマ（表示状態切換手段）
８４  パネル開閉検出センサ（操作検出手段）
８５  傾斜角度検出センサ（操作検出手段）
２００  ＡＤＦ（原稿台カバー）
【図１】
0005653152.tif 000002
【図２】
0005653152.tif 000003
【図３】
0005653152.tif 000004
【図４】
0005653152.tif 000005
【図５】
0005653152.tif 000006
【図６】
0005653152.tif 000007
【図７】
0005653152.tif 000008
【図８】
0005653152.tif 000009
【図９】
0005653152.tif 000010
【図１０】
0005653152.tif 000011
【図１１】
0005653152.tif 000012
【図１２】
0005653152.tif 000013
【図１３】
0005653152.tif 000014
【図１４】
0005653152.tif 000015
【図１５】
0005653152.tif 000016
【図１６】
0005653152.tif 000017